(57)【特許請求の範囲】
【請求項１】
物体側より順に、負の屈折力を有する第１レンズ群Ｇ１、正の屈折力を有する第２レンズ群Ｇ２、正の屈折力を有する第３レンズ群Ｇ３で構成され、
第１レンズ群Ｇ１は物体側より順に、負の屈折力を有する第１Ｎ１レンズ群Ｇ１Ｎ１と、負の屈折力を有する第１Ｎ２レンズ群Ｇ１Ｎ２を有し、
第１Ｎ１レンズ群Ｇ１Ｎ１は物体側より順に物体側に凸を向けた第１負メニスカスレンズＬ１Ｎ１、物体側に凸を向けた第２負メニスカスレンズＬ２Ｎ１を有し、第１Ｎ２レンズ群Ｇ１Ｎ２は物体側に凹を向けた負レンズＬ３Ｎ２を有し、
前記第３レンズ群Ｇ３は、物体側より順に第３ａレンズ群Ｇ３ａ、開口絞りＳ、第３ｂレンズ群Ｇ３ｂとから成り、
無限遠物体から近距離物体への合焦の際に、第１レンズ群Ｇ１と第３レンズ群Ｇ３は像面に対し固定であり、前記第２レンズ群Ｇ２が像側へ移動する構成となっており、
以下の条件式を満足することを特徴とする魚眼レンズ。
尚、本発明の魚眼レンズは、半画角ω＝９０°の時の歪曲収差が中心射影方式において−１００％となる光学系であり、歪曲収差を計算するための主光線は開口絞りＳの中心を通る光線と定義する。
（１）      ０．１０＜（Ｌ１Ｎ１Ｒ１−Ｌ１Ｎ１Ｒ２）／（Ｌ１Ｎ１Ｒ１＋Ｌ１Ｎ１Ｒ２）＜１．００
（２）      ０．１０＜（Ｌ２Ｎ１Ｒ１−Ｌ２Ｎ１Ｒ２）／（Ｌ２Ｎ１Ｒ１＋Ｌ２Ｎ１Ｒ２）＜１．００
（３）      ０．１５＜Ｌ３Ｎ２Ｒ１／ｆＬ３Ｎ２＜４．００
（４）      ８．０＜ｆ２／ｆ＜４５．０
（８）      ２．８０＜ＥＸＰ／ｆ＜２０．００
（１１）    ０．０５＜Ｄ２Ｓ／ＬＴ＜０．６０
（１２）    １．３０＜ｆ３ａ／ｆ＜１２．５０
（１３）    １．４０＜ｆ３ｂ／ｆ＜１０．００
Ｌ１Ｎ１Ｒ１  ：前記第１負メニスカスレンズＬ１Ｎ１の物体側曲率半径
Ｌ１Ｎ１Ｒ２  ：前記第１負メニスカスレンズＬ１Ｎ１の像側曲率半径
Ｌ２Ｎ１Ｒ１  ：前記第２負メニスカスレンズＬ２Ｎ１の物体側曲率半径
Ｌ２Ｎ１Ｒ２  ：前記第２負メニスカスレンズＬ２Ｎ１の像側曲率半径
Ｌ３Ｎ２Ｒ１  ：前記負レンズＬ３Ｎ２の物体側曲率半径
ｆＬ３Ｎ２    ：前記負レンズＬ３Ｎ２の焦点距離
ｆ            ：無限遠撮影時の全系の焦点距離
ｆ２          ：前記第２レンズ群Ｇ２の焦点距離
ＥＸＰ  ：無限遠合焦時の射出瞳位置から像面までの距離
Ｄ２Ｓ  ：無限遠合焦時の前記第２レンズ群Ｇ２の最終面から開口絞りＳまでの距離
ＬＴ    ：前記第１レンズ群Ｇ１の先頭面から像面までの距離
ｆ３ａ  ：前記第３ａレンズ群Ｇ３ａの焦点距離
ｆ３ｂ  ：前記第３ｂレンズ群Ｇ３ａの焦点距離
【請求項２】
前記第１レンズ群Ｇ１は、物体側より順に負の屈折力を有する前記第１Ｎ１レンズ群Ｇ１Ｎ１と、正の屈折力を有する第１Ｐ１レンズ群Ｇ１Ｐ１と、負の屈折力を有する第１Ｎ２レンズ群Ｇ１Ｎ２とから成り、
以下の条件を満足することを特徴とする請求項１記載の魚眼レンズ。
（５）      ４．００＜ｆ１Ｐ１／ｆ＜７０．００
ｆ        ：無限遠撮影時の全系の焦点距離
ｆ１Ｐ１  ：前記第１Ｐ１レンズ群Ｇ１Ｐ１の焦点距離
【請求項３】
以下の条件を満足することを特徴とする請求項１又は請求項２に記載の魚眼レンズ。
（６）      −２．４０＜ｆ１／ｆ＜−０．７０
（７）      −５．００＜ｆＮ１２／ｆ＜−１．００
（９）      ０．０５＜Ｄ１３／ＬＴ＜０．４５
（１０）    １．４０＜ｆ３／ｆ＜６．５０
ｆ      ：無限遠撮影時の全系の焦点距離
ｆ１    ：前記第１レンズ群Ｇ１の焦点距離
ｆＮ１２：前記第１負メニスカスレンズＬ１Ｎ１から前記第２負メニスカスレンズＬ２Ｎ１までの合成焦点距離
Ｄ１３  ：前記第1レンズ群Ｇ１の最終面から前記第３レンズ群Ｇ３の先頭面までの距離
ＬＴ    ：前記第１レンズ群Ｇ１の先頭面から像面までの距離
ｆ３    ：前記第３レンズ群Ｇ３の焦点距離
【請求項４】
前記第２レンズ群Ｇ２に非球面を有することを特徴とする請求項１乃至請求項３のいずれかに記載の魚眼レンズ。
【請求項５】
前記第３レンズ群Ｇ３は、物体側より順に第３ａレンズ群Ｇ３ａ、開口絞りＳ、第３ｂレンズ群Ｇ３ｂから成り、第３ｂレンズ群Ｇ３ｂは、正レンズの媒質のｄ線（波長λ＝５８７．５６ｎｍ）に対するアッベ数が６０より大きい正の屈折力を有するレンズを２枚以上有することを特徴とする請求項１乃至請求項４のいずれかに記載の魚眼レンズ。
【発明の詳細な説明】
【技術分野】
【０００１】
本発明はデジタルカメラ、ビデオカメラ等の撮像装置に用いられる魚眼レンズに関するものである。
【背景技術】
【０００２】
近年、レンズ交換式カメラでは静止画撮影だけではなく動画撮影も手軽に行う事ができるようになり動画撮影の需要も大きくなっている。その中で動画撮影に適した交換レンズが好まれてきている。
【０００３】
その中で魚眼レンズは通常のレンズとは射影方式が異なり、負の歪曲収差を用いた特殊な描写を得ることができる。この特殊な描写を表現手法として用いることもある。そのため動画撮影に適した魚眼レンズが望まれる。
【０００４】
また暗所での撮影や夜景撮影等での利便性を良くするためにＦナンバーが小さい事が望まれる。
【０００５】
そのためＦナンバーが小さく、動画撮影に適した魚眼レンズが求められる。
【０００６】
魚眼レンズとしては、例えば、特許文献１乃至特許文献５に開示されている。
【先行技術文献】
【特許文献】
【０００７】
【特許文献１】国際公開第２０１１／０７７７１６号
【特許文献２】特開２０１２−０２２１０９号公報
【特許文献３】特開２００４−１２６５２２号公報
【特許文献４】特開２０１３−２３８６８４号公報
【特許文献５】特開２００６−０１７８３７号公報
【発明の概要】
【発明が解決しようとする課題】
【０００８】
特許文献１、特許文献２においてはフォーカスレンズが軽量でありフォーカス時の騒音低減に有利であり動画撮影に適しているがＦナンバーが３．５〜４．０程度と大きい。次に、特許文献３、特許文献４においてはＦナンバーが２．８、１．８程度であるがフォーカスレンズが大きいため、フォーカス時の騒音低減が難しい。また、特許文献５においてはＦナンバーが１．８程度であり、収差が少なく高性能であるが光学系が大きいため好ましくない。
【０００９】
特許文献１，特許文献２で開示されている光学系のＦナンバーを小さくするには絞り近傍のレンズ構成に余力が無く、Ｆナンバーを小さくした場合は絞り前後のレンズの光線の屈折力が強くなることでレンズの偏心等の製造誤差による性能低下が大きくなる。
【００１０】
すなわち、Ｆナンバーを小さくするには絞り前後のレンズの製造誤差による性能低下を小さくする必要がある。
【００１１】
次に、特許文献３，特許文献４で開示されている光学系を一部のレンズ群のみをフォーカシングに使用するのはフォーカシング時の収差変動が大きいため難しい。なぜなら、フォーカスレンズとしてはフォーカシング時の収差変動が少なく、重量は軽量である事が望ましいからである。
【００１２】
また動画記録時にはフォーカシング時の映像も記録されるためフォーカスレンズの移動による像の大きさの変化が大きいと目障りに感じてしまい好ましくない。そのためフォーカスレンズの移動による像の大きさの変化は小さい事が望ましい。
【００１３】
特許文献５で開示されている光学系の小型化を行うにはレンズ構成に余力が無く収差補正が困難である。レンズの大型化は収差補正に有利であるが、交換レンズとしては携帯性が悪くなるため好ましくない。
【００１４】
上述したように小型化した結像光学系においてＦナンバーを小さくするためには、可動群であるフォーカス群の製造誤差による性能低下量を少なくする事を考慮しなければいけない。製品の小型化をするためにはフォーカス群の駆動用アクチュエータも小さくする必要があるためにフォーカスレンズ群は軽量である必要がある。軽量にするためには特許文献３，４のようにフォーカス用レンズが１枚である事が望ましいがそうすると製造誤差による偏心コマが発生し中心像高から性能低下を起こすため好ましくない。製造誤差による偏心コマを少なくするにはフォーカスレンズの屈折力を下げればよいが、フォーカス時の移動量を増やさねばならず小型化が困難となる。
【００１５】
本発明は、Ｆナンバーが小さく、小型化され、広画角で動画撮影に適し、ＡＦ性能と光学性能が良好な魚眼レンズを提供することを目的とする。
【課題を解決するための手段】
【００１６】
上記課題を解決するための手段である第１の発明は、物体側より順に、負の屈折力を有する第１レンズ群Ｇ１、正の屈折力を有する第２レンズ群Ｇ２、正の屈折力を有する第３レンズ群Ｇ３で構成され、第１レンズ群Ｇ１は物体側より順に、負の屈折力を有する第１Ｎ１レンズ群Ｇ１Ｎ１と、負の屈折力を有する第１Ｎ２レンズ群Ｇ１Ｎ２を有し、第１Ｎ１レンズ群Ｇ１Ｎ１は物体側より順に物体側に凸を向けた第１負メニスカスレンズＬ１Ｎ１、物体側に凸を向けた第２負メニスカスレンズＬ２Ｎ１を有し、第１Ｎ２レンズ群Ｇ１Ｎ２は物体側に凹を向けた負レンズＬ３Ｎ２を有し、前記第３レンズ群Ｇ３は、物体側より順に第３ａレンズ群Ｇ３ａ、開口絞りＳ、第３ｂレンズ群Ｇ３ｂとから成り、無限遠物体から近距離物体への合焦の際に、第１レンズ群Ｇ１と第３レンズ群Ｇ３は像面に対し固定であり、前記第２レンズ群Ｇ２が像側へ移動する構成となっており、以下の条件式を満足することを特徴とする魚眼レンズ。
尚、本発明の魚眼レンズは、半画角ω＝９０°の時の歪曲収差が中心射影方式において−１００％となる光学系であり、歪曲収差を計算するための主光線は開口絞りＳの中心を通る光線と定義する。
（１）      ０．１０＜（Ｌ１Ｎ１Ｒ１−Ｌ１Ｎ１Ｒ２）／（Ｌ１Ｎ１Ｒ１＋Ｌ１Ｎ１Ｒ２）＜１．００
（２）      ０．１０＜（Ｌ２Ｎ１Ｒ１−Ｌ２Ｎ１Ｒ２）／（Ｌ２Ｎ１Ｒ１＋Ｌ２Ｎ１Ｒ２）＜１．００
（３）      ０．１５＜Ｌ３Ｎ２Ｒ１／ｆＬ３Ｎ２＜４．００
（４）      ８．０＜ｆ２／ｆ＜４５．０
（８）      ２．８０＜ＥＸＰ／ｆ＜２０．００
（１１）    ０．０５＜Ｄ２Ｓ／ＬＴ＜０．６０
（１２）    １．３０＜ｆ３ａ／ｆ＜１２．５０
（１３）    １．４０＜ｆ３ｂ／ｆ＜１０．００
Ｌ１Ｎ１Ｒ１  ：前記第１負メニスカスレンズＬ１Ｎ１の物体側曲率半径
Ｌ１Ｎ１Ｒ２  ：前記第１負メニスカスレンズＬ１Ｎ１の像側曲率半径
Ｌ２Ｎ１Ｒ１  ：前記第２負メニスカスレンズＬ２Ｎ１の物体側曲率半径
Ｌ２Ｎ１Ｒ２  ：前記第２負メニスカスレンズＬ２Ｎ１の像側曲率半径
Ｌ３Ｎ２Ｒ１  ：前記負レンズＬ３Ｎ２の物体側曲率半径
ｆＬ３Ｎ２    ：前記負レンズＬ３Ｎ２の焦点距離
ｆ            ：無限遠撮影時の全系の焦点距離
ｆ２          ：前記第２レンズ群Ｇ２の焦点距離
ＥＸＰ  ：無限遠合焦時の射出瞳位置から像面までの距離
Ｄ２Ｓ  ：無限遠合焦時の前記第２レンズ群Ｇ２の最終面から開口絞りＳまでの距離
ＬＴ    ：前記第１レンズ群Ｇ１の先頭面から像面までの距離
ｆ３ａ  ：前記第３ａレンズ群Ｇ３ａの焦点距離
ｆ３ｂ  ：前記第３ｂレンズ群Ｇ３ａの焦点距離
【００１７】
また、上述の課題を解決するための手段である第２の発明は、第１の発明である魚眼レンズであって、さらに前記第１レンズ群Ｇ１は、物体側より順に負の屈折力を有する前記第１Ｎ１レンズ群Ｇ１Ｎ１と、正の屈折力を有する第１Ｐ１レンズ群Ｇ１Ｐ１と、負の屈折力を有する第１Ｎ２レンズ群Ｇ１Ｎ２とから成り、以下の条件を満足することを特徴とする請求項１記載の魚眼レンズ。
（５）      ４．００＜ｆ１Ｐ１／ｆ＜７０．００
ｆ        ：無限遠撮影時の全系の焦点距離
ｆ１Ｐ１  ：前記第１Ｐ１レンズ群Ｇ１Ｐ１の焦点距離
【００１８】
また、上述の課題を解決するための手段である第３の発明は、第１の発明又は第２の発明である魚眼レンズであって、さらに以下の条件を満足することを特徴とする魚眼レンズ。
（６）      −２．４０＜ｆ１／ｆ＜−０．７０
（７）      −５．００＜ｆＮ１２／ｆ＜−１．００
（８）      ２．８０＜ＥＸＰ／ｆ＜２０．００
（９）      ０．０５＜Ｄ１３／ＬＴ＜０．４５
（１０）    １．４０＜ｆ３／ｆ＜６．５０
ｆ      ：無限遠撮影時の全系の焦点距離
ｆ１    ：前記第１レンズ群Ｇ１の焦点距離
ｆＮ１２：前記第１負メニスカスレンズＬ１Ｎ１から前記第２負メニスカスレンズＬ２Ｎ１までの合成焦点距離
ＥＸＰ  ：無限遠合焦時の射出瞳位置から像面までの距離
Ｄ１３  ：前記第1レンズ群Ｇ１の最終面から前記第３レンズ群Ｇ３の先頭面までの距離
ＬＴ    ：前記第１レンズ群Ｇ１の先頭面から像面までの距離
ｆ３    ：前記第３レンズ群Ｇ３の焦点距離
【００２０】
また、上述の課題を解決するための手段である第４の発明は、第１の発明乃至第３の発明のいずれかである魚眼レンズであって、さらに前記第２レンズ群Ｇ２に非球面を有することを特徴とする魚眼レンズ。
【００２１】
また、上述の課題を解決するための手段である第５の発明は、第１の発明乃至第４の発明のいずれかである魚眼レンズであって、また、上述の課題を解決するための手段である第６の発明は、第１の発明乃至第５の発明のいずれかである魚眼レンズであって、前記第３ｂレンズ群Ｇ３ｂは、正レンズの媒質のｄ線（波長λ＝５８７．５６ｎｍ）に対するアッベ数が６０より大きい正の屈折力を有するレンズを２枚以上有することを特徴とする魚眼レンズ。
【発明の効果】
【００２２】
本発明によれば、Ｆナンバーが小さく、小型化され、広画角で動画撮影に適し、ＡＦ性能と光学性能が良好な魚眼レンズを提供することができる。
【図面の簡単な説明】
【００２３】
【図１】本発明の実施例１に係る無限遠におけるレンズ構成図である。
【図２】本発明の実施例１の撮影距離無限遠における縦収差図である。
【図３】本発明の実施例１の撮影距離１１８ｍｍにおける縦収差図である。
【図４】本発明の実施例１の撮影距離無限遠における横収差図である。
【図５】本発明の実施例２に係る無限遠におけるレンズ構成図である。
【図６】本発明の実施例２の撮影距離無限遠における縦収差図である。
【図７】本発明の実施例２の撮影距離１２６ｍｍにおける縦収差図である。
【図８】本発明の実施例２の撮影距離無限遠における横収差図である。
【図９】本発明の実施例３に係る無限遠におけるレンズ構成図である。
【図１０】本発明の実施例３の撮影距離無限遠における縦収差図である。
【図１１】本発明の実施例３の撮影距離１１８ｍｍにおける縦収差図である。
【図１２】本発明の実施例３の撮影距離無限遠における横収差図である。
【図１３】本発明の実施例４に係る無限遠におけるレンズ構成図である。
【図１４】本発明の実施例４の撮影距離無限遠における縦収差図である。
【図１５】本発明の実施例４の撮影距離１０５ｍｍにおける縦収差図である。
【図１６】本発明の実施例４の撮影距離無限遠における横収差図である。
【図１７】本発明の実施例５に係る無限遠におけるレンズ構成図である。
【図１８】本発明の実施例５の撮影距離無限遠における縦収差図である。
【図１９】本発明の実施例５の撮影距離１１８ｍｍにおける縦収差図である。
【図２０】本発明の実施例５の撮影距離無限遠における横収差図である。
【図２１】本発明の実施例６に係る無限遠におけるレンズ構成図である。
【図２２】本発明の実施例６の撮影距離無限遠における縦収差図である。
【図２３】本発明の実施例６の撮影距離１１８ｍｍにおける縦収差図である。
【図２４】本発明の実施例６の撮影距離無限遠における横収差図である。
【図２５】本発明の実施例７に係る無限遠におけるレンズ構成図である。
【図２６】本発明の実施例７の撮影距離無限遠における縦収差図である。
【図２７】本発明の実施例７の撮影距離１２０ｍｍにおける縦収差図である。
【図２８】本発明の実施例７の撮影距離無限遠における横収差図である。
【図２９】本発明の参考例８に係る無限遠におけるレンズ構成図である。
【図３０】本発明の参考例８の撮影距離無限遠における縦収差図である。
【図３１】本発明の参考例８の撮影距離１１８ｍｍにおける縦収差図である。
【図３２】本発明の参考例８の撮影距離無限遠における横収差図である。
【発明を実施するための形態】
【００２４】
本発明の魚眼レンズは、第１の発明として、図１、図５、図９、図１３、図１７、図２１、図２５、及び図２９に示すレンズ構成図からわかるように、物体側より順に、負の屈折力を有する第１レンズ群Ｇ１、正の屈折力を有する第２レンズ群Ｇ２、正の屈折力を有する第３レンズ群Ｇ３で構成され、第１レンズ群Ｇ１は物体側より順に、負の屈折力を有する第１Ｎ１レンズ群Ｇ１Ｎ１と、負の屈折力を有する第１Ｎ２レンズ群Ｇ１Ｎ２を有し、第１Ｎ１レンズ群Ｇ１Ｎ１は物体側より順に物体側に凸を向けた第１負メニスカスレンズＬ１Ｎ１、物体側に凸を向けた第２負メニスカスレンズＬ２Ｎ１を有し、第１Ｎ２レンズ群Ｇ１Ｎ２は物体側に凹を向けた負レンズＬ３Ｎ２を有し、無限遠物体から近距離物体への合焦の際に、第１レンズ群Ｇ１と第３レンズ群Ｇ３は像面に対し固定であり、前記第２レンズ群Ｇ２が像側へ移動する構成となっている。さらに本発明の結像光学系は、以下の条件式を満足することが望ましい。
（１）  ０．１０＜（Ｌ１Ｎ１Ｒ１−Ｌ１Ｎ１Ｒ２）／（Ｌ１Ｎ１Ｒ１＋Ｌ１Ｎ１Ｒ２）＜１．００
（２）  ０．１０＜（Ｌ２Ｎ１Ｒ１−Ｌ２Ｎ１Ｒ２）／（Ｌ２Ｎ１Ｒ１＋Ｌ２Ｎ１Ｒ２）＜１．００
（３）  ０．１５＜Ｌ３Ｎ２Ｒ１／ｆＬ３Ｎ２＜４．００
（４）  ８．０＜ｆ２／ｆ＜４５．０
Ｌ１Ｎ１Ｒ１  ：第１Ｎ１レンズ群Ｇ１Ｎ１内の１番目 の前記第１負メニスカスレンズＬ１Ｎ１の物体側曲率半径
Ｌ１Ｎ１Ｒ２  ：第１Ｎ１レンズ群Ｇ１Ｎ１内の１番目の前記第１負メニスカスレンズＬ１Ｎ１の像側曲率半径
Ｌ２Ｎ１Ｒ１  ：第１Ｎ１レンズ群Ｇ１Ｎ１内の２番目 の前記第２負メニスカスレンズＬ２Ｎ１の物体側曲率半径
Ｌ２Ｎ１Ｒ２  ：第１Ｎ１レンズ群Ｇ１Ｎ１内の２番目の前記第２負メニスカスレンズＬ２Ｎ１の像側曲率半径
Ｌ３Ｎ２Ｒ１  ：第１Ｎ２レンズ群Ｇ１Ｎ２内の前記負レンズＬ３Ｎ２の物体側曲率半径
ｆＬ３Ｎ２    ：第１Ｎ２レンズ群Ｇ１Ｎ２内の前記負レンズＬ３Ｎ２の焦点距離
ｆ            ：無限遠撮影時の全系の焦点距離
ｆ２          ：前記第２レンズ群Ｇ２の焦点距離
【００２５】
条件式（１）と条件式（２）は魚眼レンズとして広画角を実現するためのレンズ形状を規定するものである。当該レンズ形状を適切に設定することで十分な広画角を得つつ、良好な収差補正が可能となる。
【００２６】
条件式（１）の上限を超え物体側の曲率が小さくなると、負の屈折力が強くなり、非点収差、コマ収差の補正が難しくなる。また上限を超え物体側の曲率が小さくなると、レンズ径が増大する。その結果、製品の径が大きくなるため好ましくない。条件式（１）の下限を超え物体側の曲率が大きくなると、屈折力が弱くなり負の歪曲の発生量が小さくなるため魚眼レンズとしての画角を得る事が難しくなる。
【００２７】
尚、条件式（１）について、望ましくはその下限値を０．４０に、また上限値を０．７０に限定することで、前述の効果をより確実にすることができる。
【００２８】
条件式（２）の上限を超え物体側の曲率が小さくなると、負の屈折力が強くなり、非点収差、コマ収差の補正が難しくなる。また上限を超え物体側の曲率が小さくなると、レンズ径が増大する。その結果、製品の径が大きくなるため好ましくない。条件式（２）の下限を超え物体側の曲率が大きくなると、屈折力が弱くなり負の歪曲の発生量が小さくなるため魚眼レンズとしての画角を得る事が難しくなる。
【００２９】
尚、条件式（２）について、望ましくはその下限値を０．１１に、また上限値を０．８５に限定することで、前述の効果をより確実にすることができる。
【００３０】
条件式（３）は、第１Ｎ２レンズ群Ｇ１Ｎ２内の負レンズの形状を規定するものである。第１Ｎ２レンズ群Ｇ１Ｎ２内の負レンズの形状を適切に設定することで良好な収差補正が可能となる。
【００３１】
条件式（３）の上限を超え負の屈折力が強くなると、隣り合う第２レンズ群との収差バランスが悪化しフォーカス時のコマ収差、球面収差の補正が難しくなる。条件式（３）の下限を超え物体側の曲率が強くなると、非点収差、コマ収差の補正が難しくなる。
【００３２】
なお条件式（３）について、望ましくはその下限値を０．２５に、また上限値を２．５０に限定することで、前述の効果をより確実にすることができる。
【００３３】
条件式（４）は、第２レンズ群の適切な焦点距離を規定するものである。第２レンズ群の焦点距離を適切に設定することで良好な収差補正が可能となる。
【００３４】
条件式（４）の上限を超え第２レンズ群Ｇ２の屈折力が弱くなると、フォーカシングに用いる移動量が増えるためレンズ系が大きくなる。その結果、製品の全長が長くなり好ましくない。条件式（４）の下限を超え第２レンズ群Ｇ２の屈折力が強くなると 、フォーカシング時の非点収差、コマ収差の補正が難しくなる。また至近撮影時には球面収差の補正が難しくなる。またフォーカシング時の像の倍率の変化を小さくすることが難しくなるため好ましくない。
【００３５】
尚、条件式（４）について、望ましくはその下限値を１０．０に、また上限値を３０．０に限定することで、前述の効果をより確実にすることができる。
【００３６】
また、第２の発明である結像光学系は第１の発明であって、前記第１レンズ群Ｇ１は、物体側より順に負の屈折力を有する前記第１Ｎ１レンズ群Ｇ１Ｎ１と、正の屈折力を有する第１Ｐ１レンズ群Ｇ１Ｐ１と、負の屈折力を有する第１Ｎ２レンズ群Ｇ１Ｎ２とから成り、以下の条件式を満足することを特徴とする魚眼レンズ。
（５）  ４．００＜ｆ１Ｐ１／ｆ＜７０．００
ｆ        ：無限遠撮影時の全系の焦点距離
ｆ１Ｐ１  ：前記第１Ｐ１レンズ群Ｇ１Ｐ１の焦点距離
【００３７】
第２の発明である魚眼レンズの第１レンズ群Ｇ１は、物体側より順に負の屈折力を有する第１Ｎ１レンズ群Ｇ１Ｎ１と、正の屈折力を有する第１Ｐ１レンズ群Ｇ１Ｐ１と、負の屈折力を有する第１Ｎ２レンズ群Ｇ１Ｎ２から成る。このような構成とすることで、良好な収差補正が可能となり、かつ第２レンズＧ２の径を小さくすることが可能となる。第２レンズ群Ｇ２の径を小さくする事で軽量化を行う事が可能となり、フォーカシング時の静穏化を行う事ができる。
【００３８】
条件式（５）は、第１Ｐ１レンズ群Ｇ１Ｐ１の焦点距離を規定するものである。第１Ｐ１レンズ群Ｇ１Ｐ１の焦点距離を適切に設定することで良好な収差補正が可能となると共に、第１Ｐ１レンズ群Ｇ１Ｐ１の正の屈折力により光線径が下げられたため、第２レンズ群Ｇ２の径を適切に設定することができ、フォーカスレンズの軽量化とフォーカシング時の静音化を行うことができる。
【００３９】
条件式（５）の上限を超え第１Ｐ１レンズ群Ｇ１Ｐ１の屈折力が弱くなると、フォーカシングに用いる第２レンズ群Ｇ２の径が大きくなり重量が増える。重量が増えると動画撮影に適した滑らかなフォーカシングが難しくなるため好ましくない。条件式（５）の下限を超え第１Ｐ１レンズ群Ｇ１Ｐ１の屈折力が強くなると、非点収差、コマ収差の補正が難しくなる。
【００４０】
尚、条件式（５）について、望ましくはその下限値を４．５０に、また上限値を４５．００に限定することで、前述の効果をより確実にすることができる。
【００４１】
また第３の発明である魚眼レンズは、第１の発明又は第２の発明であって、さらに以下の条件式を満足することを特徴とする。
（６）      −２．４０＜ｆ１／ｆ＜−０．７０
（７）      −５．００＜ｆＮ１２／ｆ＜−１．００
（８）      ２．８０＜ＥＸＰ／ｆ＜２０．００
（９）      ０．０５＜Ｄ１３／ＬＴ＜０．４５
（１０）    １．４０＜ｆ３／ｆ＜６．５０
ｆ      ：無限遠撮影時の全系の焦点距離
ｆ１    ：前記第１レンズ群Ｇ１の焦点距離
ｆＮ１２：前記第１負メニスカスレンズＬ１Ｎ１から前記第２負メニスカスレンズＬ２Ｎ１までの合成焦点距離
ＥＸＰ  ：無限遠合焦時の射出瞳位置から像面までの距離
Ｄ１３  ：前記第1レンズ群Ｇ１の最終面から前記第３レンズ群Ｇ３の先頭面までの距離
ＬＴ    ：前記第１レンズ群Ｇ１の先頭面から像面までの距離
ｆ３    ：前記第３レンズ群Ｇ３の焦点距離
【００４２】
条件式（６）は、第１レンズ群Ｇ１の適切な焦点距離を規定するものである。第１レンズ群Ｇ１の焦点距離を適切に設定することで広画角を得られると共に良好な収差補正が可能となる。
【００４３】
条件式（６）の上限を超え第１レンズ群Ｇ１の屈折力が弱くなると、広画角を確保することができない。条件式（６）の下限を超え第１レンズ群Ｇ１の屈折力が大きくなると、軸外の非点収差、コマ収差の補正が難しくなる。
【００４４】
尚、条件式（６）について、望ましくはその下限値を−１．７０に、また上限値を−０．９０に限定することで、前述の効果をより確実にすることができる。
【００４５】
条件式（７）は、物体側より順に物体側に凸を向けた第１負メニスカスレンズＬ１Ｎ１から物体側に凸を向けた第２負メニスカスレンズＬ２Ｎ１までの合成焦点距離の適切な値を規定するものである。物体側に凸を向けた第１負メニスカスレンズＬ１Ｎ１と物体側に凸を向けた第２負メニスカスレンズＬ２Ｎ１の合成焦点距離を適切に設定することで広画角を得られると共に良好な収差補正が可能となる。
【００４６】
条件式（７）の上限を超え物体側に凸を向けた第１負メニスカスレンズＬ１Ｎ１から物体側に凸を向けた第２負メニスカスレンズＬ２Ｎ１の合成焦点距離ｆＮ１２の屈折力が強くなると、軸外の非点収差の補正が難しくなる。条件式（７）の下限を超え物体側に凸を向けた第１負メニスカスレンズＬ１Ｎ１から物体側に凸を向けた第２負メニスカスレンズＬ２Ｎ１の合成焦点距離ｆＮ１２の屈折力が弱くなると広画角の確保が難しくなる。
【００４７】
尚、条件式（７）について、望ましくはその下限値を−３．５０に、また上限値を−１．１０に限定することで、前述の効果をより確実にすることができる。
【００４８】
条件式（８）は射出瞳位置を規定するものである。射出瞳位置を適切に設定することで撮像素子への光線の入射条件が適切となり、周辺光量低下を抑えることが可能となる。さらに、フォーカシング時の像の倍率変化を小さくすることが可能となる。
【００４９】
条件式（８）の上限を超え絞りの位置が像面から大きく離れると、主光線が光束中心から上光線側に離れていき非点収差の補正が困難となる。また絞りと第２レンズ群Ｇ２との間隔が狭くなる事によりフォーカシング時の像の倍率の変化を小さくすることが難しくなるため好ましくない。また主光線の位置を維持すると全長が長くなりレンズ系が大きくなるため好ましくない。条件式（８）の下限を超え絞りの位置が像面に近くなると、軸外光線の像面に対する光線の射出角が大きくなる。撮像素子への光線の入射が不十分になり、周辺光量低下が大きくなるため好ましくない。
【００５０】
尚、条件式（８）について、望ましくはその下限値を４．００に、また上限値を１５．００に限定することで、前述の効果をより確実にすることができる。
【００５１】
条件式（９）は、第１レンズ群Ｇ１から第３レンズ群Ｇ３までのレンズ間隔を規定するものである。適切なレンズ間隔にすることで、フォーカス群である第２レンズ群Ｇ２の移動量が十分に得られることでフォーカシングに適したレンズ間隔となり、良好なフォーカシングが得られる。
【００５２】
条件式（９）の上限を超えるとレンズ系が大きくなり、特に第１レンズ群の径が大きくなるためレンズ重量が増え、製品の径も大きくなり好ましくない。もしくは周辺光束がレンズ外縁でけられるため周辺光量が減り好ましくない。条件式（９）の下限を超えるとフォーカシングに用いるための移動量が減る。そのため至近撮影距離が短くなるので好ましくない。
【００５３】
尚、条件式（９）について、望ましくはその下限値を０．１０に、また上限値を０．３０に限定することで、前述の効果をより確実にすることができる。
【００５４】
条件式（１０）は、第３レンズ群の適切な焦点距離を規定するものである。第３レンズ群の焦点距離を適切に設定することで、良好な収差補正が可能となる。
【００５５】
条件式（１０）の上限を超え第３レンズ群Ｇ３の屈折力が弱くなると、バックフォーカスが長くなりレンズ系が大きくなるため好ましくない。条件式（１０）の下限を超え第３レンズ群Ｇ３の屈折力が強くなると、球面収差、コマ収差、非点収差の補正が難しくなる。またバックフォーカスが短くなるためレンズ交換式カメラへの使用が難しくなる。
【００５６】
尚、条件式（１０）について、望ましくはその下限値を２．００に、また上限値を４．５０に限定することで、前述の効果をより確実にすることができる。
【００５７】
また第１の発明である魚眼レンズは、前記第３レンズ群Ｇ３は物体側より順に前記第３ａレンズ群Ｇ３ａ、前記開口絞りＳ、前記第３ｂレンズ群Ｇ３ｂとから成り、さらに以下の条件式を満足することを特徴とする魚眼レンズ。
（１１）    ０．０５＜Ｄ２Ｓ／ＬＴ＜０．６０
（１２）    １．３０＜ｆ３ａ／ｆ＜１２．５０
（１３）    １．４０＜ｆ３ｂ／ｆ＜１０．００
Ｄ２Ｓ  ：無限遠合焦時の前記第２レンズ群Ｇ２の最終面から開口絞りＳまでの距離
ＬＴ    ：前記第１レンズ群Ｇ１の先頭面から像面までの距離
ｆ３ａ  ：前記第３ａレンズ群Ｇ３ａの焦点距離
ｆ３ｂ  ：前記第３ｂレンズ群Ｇ３ａの焦点距離
【００５８】
条件式（１１）は、第２レンズ群Ｇ２から絞り面までの適切なレンズ間隔を規定するものである。フォーカシング時の像の倍率変化を小さくすることが可能である。
【００５９】
条件式（１１）の上限を超えるとレンズ系が大きくなり、特に第１レンズ群の径が大きくなるためレンズ重量が増え、製品の径も大きくなり好ましくない。条件式（１１）の下限を超えるときはフォーカシング時の像の倍率の変化を小さくすることが難しくなるため好ましくない。
【００６０】
なお条件式（１１）について、望ましくはその下限値を０．１５に、また上限値を０．４５に限定することで、前述の効果をより確実にすることができる。
【００６１】
条件式（１２）は、第３ａレンズ群のＧ３ａ適切な焦点距離を規定する。第３ａレンズ群Ｇ３ａを適切な焦点距離に設定することで、良好な収差補正が可能となる。
【００６２】
条件式（１２）の上限を超え第３ａレンズ群Ｇ３ａの屈折力が弱くなると、絞りから像側のレンズにかけての径が大きくなる。Ｆ値を小さくした上でレンズ径を小さくする事が難しくなるため好ましくない。条件式（１２）の下限を超え第３ａレンズ群Ｇ３ａの屈折力が強くなると、球面収差、コマ収差の補正が難しくなる。
【００６３】
なお条件式（１２）について、望ましくはその下限値を１．８０に、また上限値を９．００に限定することで、前述の効果をより確実にすることができる。
【００６４】
条件式（１３）は、第３ｂレンズ群Ｇ３ｂの適切な焦点距離を規定する。第３ｂレンズ群Ｇ３ｂの焦点距離を適切に設定することで良好な収差補正が可能となる。
【００６５】
条件式（１３）の上限を超え第３ｂレンズ群Ｇ３ｂの屈折力が弱くなると、第３ｂレンズ群Ｇ３ｂの横倍率が大きくなることでイメージサークルが広がる。そのため広画角を確保する事が難しくなる。条件式（１３）の下限を超え第３ｂレンズ群Ｇ３ｂの屈折力が強くなると、球面収差、コマ収差、非点収差の補正が難しくなる。
【００６６】
尚、条件式（１３）について、望ましくはその下限値を２．００に、また上限値を６．８０に限定することで、前述の効果をより確実にすることができる。
【００６７】
また第４の発明である魚眼レンズは、第１の発明乃至第３の発明のいずれか一つであって、前記第２レンズ群Ｇ２内に非球面を有する事が望ましい。
【００６８】
第２レンズ群内に非球面を用いる事でフォーカスに伴う球面収差の変動を抑える事ができるため好ましい。
【００６９】
また第５の発明である魚眼レンズは、第１の発明乃至第４の発明のいずれか一つであって、前記第３ｂレンズ群Ｇ３ｂは、正レンズの媒質のｄ線（波長λ＝５８７．５６ｎｍ）に対するアッベ数が６０より大きい正の屈折力を有するレンズを２枚以上有することを特徴とする。
【００７０】
第６の発明は、第３ｂレンズ群Ｇ３ｂの正の屈折力を有するレンズのアッベ数を規定する。第３ｂレンズ群Ｇ３ｂの正の屈折力を有するレンズのアッベ数を適切に設定することで良好な色収差補正が可能となる。
【００７１】
第３ｂレンズ群Ｇ３ｂの正の屈折力を有するレンズのアッベ数が小さくなると、軸上の色収差補正、倍率の色収差補正が難しくなる。
【００７２】
尚、前記第３ｂレンズ群Ｇ３ｂの有する正レンズの媒質のｄ線（波長λ＝５８７．５６ｎｍ）に対するアッベ数が６０より大きい正の屈折力を有する複数のレンズのうち、少なくとも１枚以上の正の屈折力を有するレンズのアッベ数を８０以上とすることで、前述の効果をより確実にすることができる。
【００７３】
次に本発明の魚眼レンズに係る実施例のレンズ構成について説明する。尚、以下の説明ではレンズ構成を物体側から像側の順番で記載する。
【００７４】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線のアッベ数、有効半径は光線高を示している。
【００７５】
面番号に付した＊（アスタリスク）は、そのレンズ面形状が非球面であることを示して
いる。また、ＢＦはバックフォーカス、物面の距離は被写体からレンズ第１面までの距離
を示している。
【００７６】
面番号に付した（絞り）は、その位置に開口絞りＳが位置していることを示している。また、平面、開口絞りＳに対する曲率半径には∞（無限大）を記入している。
【００７７】
［非球面データ］は、［面データ］において＊を付したレンズ面の非球面形状を与える
非球面係数を示している非球面の形状は、光軸に直交する方向への光軸からの変位をｙ、非球面と光軸の交点から光軸方向への変位（サグ量）をｚ、基準球面の曲率半径をｒ、コーニック係数をＫ、４、６、８、１０次の非球面係数をそれぞれＡ４、Ａ６、Ａ８、Ａ１０と置くとき、非球面の座標が以下の式で表されるものとする。
0006609956.tif 000002
【００７８】
［各種データ］には、各焦点距離状態における焦点距離等の値を示している。
【００７９】
［可変間隔データ］には、各焦点距離状態における可変間隔及びＢＦ（バックフォーカ
ス）の値を示している。
【００８０】
また、各実施例に対応する収差図において、ｄ、ｇ、Ｃはそれぞれｄ線、ｇ線、Ｃ線を
表しており、△Ｓ、△Ｍはそれぞれサジタル像面、メリジオナル像面を表している。
【００８１】
さらに、図１、図５、図９、図１３、図１７、図２１、図２５及び図２９に示すレンズ構成図において、Ｉは像面、Ｆはフィルタ、中心を通る一点鎖線は光軸である。
【００８２】
尚、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【実施例１】
【００８３】
図１は、本発明の実施例１の魚眼レンズのレンズ構成図である。物体側から順に、負の屈折力を有する第１レンズ群Ｇ１と正の屈折力を有するＧ２と正の屈折力を有する第３レンズ群Ｇ３から成り、第１レンズ群Ｇ１は、物体側に凸面を向けた負メニスカスレンズＬ1Ｎ１と物体側に凸面を向けた負メニスカスレンズＬ２Ｎ１から成る負の屈折力を有する第１Ｎ１レンズ群Ｇ１Ｎ１と、負レンズＬ３Ｎ２から成る負の屈折力を有する第１Ｎ２レンズ群Ｇ１Ｎ２から成り、第２レンズ群Ｇ２は、物体側の面が非球面である両凸レンズと物体側に凹面を向けた負メニスカスレンズの接合レンズから成り、第３レンズ群Ｇ３は、両凸レンズと物体側に凸面を向けた正メニスカスレンズから成る第３ａレンズ群Ｇ３ａと、開口絞りＳと、両凸レンズと両凹レンズから成る接合レンズと、物体側に凹面を向け像側の面が非球面である正メニスカスレンズと、物体側に凸面を向けた正メニスカスレンズと、両凸レンズと物体側に凹面を向けた負メニスカスレンズから成る接合レンズと、物体側に凸面を向けた平凸レンズ１枚とから成る第３ｂレンズ群Ｇ３ｂとから成り、無限遠物体から近距離物体への合焦の際に、第１レンズ群Ｇ１と第３レンズ群Ｇ３は像面に対し固定であり、第２レンズ群Ｇ２が像側へ移動する。
【００８４】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【００８５】
続いて、以下に実施例１に係る魚眼レンズの諸元値を示す。
数値実施例1
単位：mm
[面データ]
面番号            r              d             nd           vd
1           48.4677        2.0000        1.95374        32.31
2           16.4558        6.4150
3           19.5735        1.0000        1.77250        49.60
4           15.1298        9.5851
5          -40.6798        0.8000        1.77250        49.60
6           34.1908          (d6)
7*         322.2158        2.5522        1.80610        40.71
8          -46.7155        0.8000        1.84666        23.77
9         -217.8973          (d9)
10          135.3517        2.0727        2.00100        29.12
11          -93.4675        0.1500
12           39.5439        2.3089        2.00100        29.12
13          432.3531        8.6135
14（絞り）           ∞        3.5682
15           15.3353        3.5815        1.43700        95.06
16         -588.4382        0.8000        1.92118        23.95
17           16.6963        2.3339
18         -128.4920        2.0872        1.59201        67.00
19*         -33.5016        0.1500
20           28.5725        2.5655        1.43700        95.06
21          346.6105        0.1500
22           27.7324        4.7601        1.43700        95.06
23          -34.4468        0.8000        1.84666        23.77
24        -1200.6303        0.1500
25           28.8372        3.4352        1.61800        63.37
26                ∞       12.6900
27                ∞        4.0000        1.51633        64.12
28                ∞          (BF)
[非球面データ]
7面           19面
K                0.0000         0.0000
A4           -1.0963E-08     5.4115E-06
A6           -7.8814E-08     6.7276E-08
A8            5.7615E-10    -2.9617E-09
A10          -2.6633E-12     2.1057E-11
[各種データ]
INF           118mm
焦点距離           7.90           7.64
Fナンバー          1.82           1.83
全画角2ω        197.32         197.32
像高Y           11.62          11.75
[可変間隔データ]
撮影距離          INF            118mm
d6            5.3233        12.2310
d9           10.3077         3.4000
BF            1.0000         1.0000
[レンズ群データ]
群            始面              焦点距離
G1              1                 -8.17
G2              7                181.63
G3             10                 24.38
G1N1             1                -19.64
G1P1             -                    -
G1N2             5                -23.94
G3a            10                 24.45
G3b            15                 33.66
【実施例２】
【００８６】
図６は、本発明の実施例２の魚眼レンズのレンズ構成図である。
【００８７】
物体側から順に、負の屈折力を有する第１レンズ群Ｇ１と正の屈折力を有するＧ２と正の屈折力を有する第３レンズ群Ｇ３から成り、第１レンズ群Ｇ１は、物体側に凸面を向けた負メニスカスレンズＬ１Ｎ１と物体側に凸面を向けた負メニスカスレンズＬ２Ｎ１から成る負の屈折力を有する第１Ｎ１レンズ群Ｇ１Ｎ１と、物体側に凹面を向けた負メニスカスレンズＬ３Ｎ２から成る負の屈折力を有する第１Ｎ２レンズ群Ｇ１Ｎ２とから成り、第２レンズ群Ｇ２は、物体側の面が非球面である両凸レンズと物体側に凹面を向けた負メニスカスレンズの接合レンズから成り、第３レンズ群Ｇ３は、両凸レンズと、物体側に凹面を向けた負メニスカスレンズと、両凸レンズと、両凸レンズと両凹レンズの接合レンズから成る第３ａレンズ群Ｇ３ａと、開口絞りＳと、両凸レンズと両凹レンズの接合レンズと、両面が非球面である両凸レンズと物体側に凸面を向けた平凸レンズ１枚とから成る第３ｂレンズ群Ｇ３ｂレンズ群から成り、無限遠物体から近距離物体への合焦の際に、第１レンズ群Ｇ１と第３レンズ群Ｇ３は像面に対し固定であり、第２レンズ群Ｇ２が像側へ移動する。
【００８８】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【００８９】
続いて、以下に実施例２に係る魚眼レンズの諸元値を示す。
数値実施例2
単位：mm
[面データ]
面番号            r              d             nd             vd
1           45.7831         2.5374        1.88300        40.79
2           14.8495         9.4879
3           59.5138         1.0000        1.88300        40.79
4           16.6361         9.0173
5          -22.4968         0.8000        1.72916        54.65
6          -40.0935           (d6)
7*         761.0281         3.0000        1.77250        49.44
8          -29.8776         0.8000        1.84666        23.77
9          -75.5105           (d9)
10           93.8953         2.6417        2.00271        19.31
11          -66.9202         1.0314
12          -25.8186         0.8000        2.00100        29.12
13         -209.7411         0.1500
14           67.5307         3.6066        1.95374        32.31
15          -33.3050         0.1500
16           19.4215         5.4740        1.84666        23.77
17          -25.9874         0.8000        1.92285        20.87
18           16.3563         3.4887
19（絞り）           ∞         5.8507
20           15.1580         4.3407        1.43700        95.06
21          -26.3728         0.8000        1.85477        24.79
22           29.9346         1.8556
23*          34.0355         3.6647        1.61880        63.83
24*         -45.2061         0.1500
25           19.0543         5.1036        1.43700        95.06
26                ∞        12.6898
27                ∞         4.0000        1.51633        64.12
28                ∞           (BF)
[非球面データ]
7面            23面           24面
K              0.0000         0.0000         0.0000
A4          2.2439E-06    -3.8022E-05     5.3694E-06
A6         -1.2325E-07     1.3153E-07     2.1036E-07
A8          1.0702E-09     1.2142E-10    -3.4986E-09
A10        -5.5666E-12     3.2297E-11     6.1608E-11
[各種データ]
INF           126mm
焦点距離              7.90           7.66
Fナンバー             1.82           1.82
全画角2ω           196.62         196.62
像高Y              11.60          11.68
[可変間隔データ]
撮影距離              INF           126mm
d6               3.5000         6.8808
d9               6.2599         2.8791
BF               1.0000         1.0000
[レンズ群データ]
群            始面              焦点距離
G1              1                 -8.34
G2              7                102.70
G3             10                 24.95
G1N1             1                -11.06
G1P1             -                    -
G1N2             5                -71.67
G3a            10                 29.61
G3b            20                 25.75
【実施例３】
【００９０】
図１１は、本発明の実施例３の魚眼レンズのレンズ構成図である。物体側から順に、負の屈折力を有する第１レンズ群Ｇ１と正の屈折力を有するＧ２と正の折力を有する第３レンズ群Ｇ３から成り、第１レンズ群Ｇ１は、物体側に凸面を向けた負メニスカスレンズＬ１Ｎ１と物体側に凸面を向けた負メニスカスレンズＬ２Ｎ１とから成る負の屈折力を有する第１Ｎ１レンズ群Ｇ１Ｎ１と、両凹レンズＬ３Ｎ２から成る負の屈折力を有する第１Ｎ２レンズ群Ｇ１Ｎ２とから成り、第２レンズ群Ｇ２は、物体側の面が非球面である両凸レンズと両凹レンズの接合レンズから成り、第３レンズ群Ｇ３は、両凸レンズから成る第３ａレンズ群Ｇ３ａと、開口絞りＳと、物体側に凸面を向けた正メニスカスレンズと、物体側に凸面を向けた正メニスカスレンズと物体側に凸面を向けた負メニスカスレンズから成る接合レンズと、物体側の面が非球面である両凸レンズと両凹レンズから成る接合レンズと、両凸レンズと、物体側に凸面を向けた正メニスカスレンズと、物体側に凸面を向けた平凸レンズとから成る第３ｂレンズ群Ｇ３ｂレンズ群とから成り、無限遠物体から近距離物体への合焦の際に、第１レンズ群Ｇ１と第３レンズ群Ｇ３は像面に対し固定であり、第２レンズ群Ｇ２が像側へ移動する。
【００９１】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【００９２】
続いて、以下に実施例３に係る魚眼レンズの諸元値を示す。
数値実施例3
単位：mm
[面データ]
面番号             r              d             nd            vd
1            68.5809        2.7126        1.77250        49.60
2            14.6209        9.6347
3            40.3780        1.0000        2.00100        29.12
4            21.5961        6.6701
5           -27.5885        0.8000        1.43700        95.06
6           145.6654          (d6)
7*           56.3669        3.0000        1.80610        40.71
8           -76.8607        0.8000        1.84666        23.77
9           141.4865          (d9)
10            63.6834        1.9567        1.94594        17.98
11          -181.1242        5.9387
12（絞り）           ∞        4.8031
13            22.8193        3.2949        1.59282        68.60
14          1455.9698        1.2791
15            17.5009        3.6013        1.43700        95.06
16           123.9900        0.8000        1.84666        23.77
17            22.1812        2.2912
18*           24.2369        2.8758        1.59201        67.00
19          -153.9818        0.8000        1.80518        25.45
20            19.7358        1.2406
21            52.2373        2.4274        1.59282        68.60
22           -84.0275        0.1500
23            32.3457        1.8025        1.43700        95.06
24            55.4756        0.1500
25            31.1562        3.0768        1.61800        63.37
26                 ∞       12.6900
27                 ∞        4.0000        1.51633        64.12
28                 ∞          (BF)
[非球面データ]
7面           18面
K                0.0000         0.0000
A4           -1.4179E-06    -3.6913E-05
A6           -6.4781E-08    -2.0837E-07
A8            6.1458E-10     5.4521E-09
A10          -2.6026E-12    -6.9470E-11
A12             -           3.00030E-13
[各種データ]
INF           118mm
焦点距離              7.91           7.64
Fナンバー             1.82           1.83
全画角2ω           197.32         197.32
像高Y              11.60          11.66
[可変間隔データ]
撮影距離              INF           118mm
d6               3.2000        10.1135
d9              12.0046         5.0911
BF               1.0000         1.0000
[レンズ群データ]
群            始面               焦点距離
G1              1                 -9.49
G2              7                125.32
G3             10                 22.67
G1N1             1                -14.20
G1P1             -                    -
G1N2             5                -53.00
G3a            10                 50.00
G3b            13                 26.33
【実施例４】
【００９３】
図１６は、本発明の実施例４の魚眼レンズのレンズ構成図である。物体側から順に、負の屈折力を有する第１レンズ群Ｇ１と正の屈折力を有するＧ２と正の屈折力を有する第３レンズ群Ｇ３から成り、第１レンズ群Ｇ１は、物体側に凸面を向けた負メニスカスレンズＬ1Ｎ１と物体側に凸面を向けた負メニスカスレンズＬ２Ｎ１から成る負の屈折力を有する第１Ｎ１レンズ群Ｇ１Ｎ１と、両凹レンズＬ３Ｎ２から成る負の屈折力を有する第１Ｎ２レンズ群Ｇ１Ｎ２から成り、第２レンズ群Ｇ２は、物体側の面が非球面である両凸レンズと両凹レンズの接合レンズから成り、第３レンズ群Ｇ３は、両凸レンズ、物体側に凸面を向けた正メニスカスレンズから成る第３ａレンズ群Ｇ３ａと、開口絞りＳと、両凸レンズと両凹レンズの接合レンズ、物体側に凹面を向け像側の面が非球面である正メニスカスレンズ、物体側に凸面を向けた負メニスカスレンズと物体側に凸面を向けた正メニスカスレンズの接合レンズ、物体側に凸面を向けた正メニスカスレンズ、両凸レンズから成る第３ｂレンズ群Ｇ３ｂレンズ群から成り、無限遠物体から近距離物体への合焦の際に、第１レンズ群Ｇ１と第３レンズ群Ｇ３は像面に対し固定であり、第２レンズ群Ｇ２が像側へ移動する。
【００９４】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【００９５】
続いて、以下に実施例４に係る魚眼レンズの諸元値を示す。
数値実施例4
単位：mm
[面データ]
面番号            r              d             nd            vd
1            55.3678       2.0000        1.91082        35.24
2            16.1490      10.4325
3            51.9341       1.0000        1.51680        64.17
4            27.9162       5.3378
5           -50.7749       0.8000        1.77250        49.60
6            32.4603         (d6)
7*           40.4610       2.8931        1.80610        40.71
8          -435.8259       0.8000        1.80808        22.75
9            64.4773         (d9)
10           107.2140       2.4880        1.95374        32.31
11           -70.5853       0.1500
12            31.1323       2.4628        2.00100        29.12
13           149.9812       7.3930
14（絞り）            ∞       2.1559
15            22.5073       3.3340        1.43700        95.06
16           -33.3708       0.8000        1.92118        23.95
17            20.1928       1.7477
18           -28.8105       2.1862        1.59201        67.00
19*          -19.4516       0.6198
20            22.9024       0.8000        1.84666        23.77
21            13.7408       4.8384        1.59282        68.60
22            94.1333       0.1500
23            40.6546       1.9400        1.43700        95.06
24           114.8953       0.1500
25            29.9120       3.9648        1.61800        63.37
26           -94.5519      12.6900
27                 ∞       4.0000        1.51633        64.12
28                 ∞         (BF)
[非球面データ]
7面           19面
K                0.0000         0.0000
A4           -3.9423E-06    -1.1356E-06
A6           -7.3302E-08     7.4438E-07
A8            5.3192E-10    -2.0096E-08
A10          -1.8269E-12     1.5208E-10
[各種データ]
INF           105mm
焦点距離              7.90           7.62
Fナンバー             1.82           1.84
全画角2ω           196.68         196.68
像高Y              11.60          11.97
[可変間隔データ]
撮影距離              INF           105mm
d6               4.3334        13.7864
d9              13.5326         4.0796
BF               1.0000         1.0000
[レンズ群データ]
群            始面              焦点距離
G1              1                 -8.51
G2              7                126.65
G3             10                 24.53
G1N1             1                -19.54
G1P1             -                    -
G1N2             5                -25.53
G3a            10                 20.92
G3b            15                 37.88
【実施例５】
【００９６】
図２１は、本発明の実施例５の魚眼レンズのレンズ構成図である。物体側から順に、負の屈折力を有する第１レンズ群Ｇ１と正の屈折力を有するＧ２と正の屈折力を有する第３レンズ群Ｇ３から成り、第１レンズ群Ｇ１は、物体側に凸面を向けた負メニスカスレンズＬ1Ｎ１と、物体側に凸面を向けた負メニスカスレンズＬ２Ｎ１とから成る負の屈折力を有する第１Ｎ１レンズ群Ｇ１Ｎ１と、物体側に凸面を向けた正メニスカスレンズから成る正の屈折力を有する第１Ｐ１レンズ群Ｇ１Ｐ１と、両凹レンズＬ３Ｎ２から成る負の屈折力を有する第１Ｎ２レンズ群Ｇ１Ｎ２から成り、第２レンズ群Ｇ２は、物体側の面が非球面である両凸レンズと両凹レンズの接合レンズから成り、第３レンズ群Ｇ３は、両凸レンズ、物体側に凸面を向けた正メニスカスレンズと物体側に凸面を向けた負メニスカスレンズから成る第３ａレンズ群Ｇ３ａと、開口絞りＳと、両凸レンズと、両凸レンズと両凹レンズから成る接合レンズと、物体側の面が非球面である両凸レンズと、物体側に凸面を向けた負メニスカスレンズと、両凸レンズと、両凸レンズとから成る第３ｂレンズ群Ｇ３ｂとから成り、無限遠物体から近距離物体への合焦の際に、第１レンズ群Ｇ１と第３レンズ群Ｇ３は像面に対し固定であり、第２レンズ群Ｇ２が像側へ移動する。
【００９７】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【００９８】
続いて、以下に実施例５に係る魚眼レンズの諸元値を示す。
数値実施例5
単位：mm
[面データ]
面番号            r              d             nd             vd
1            52.8269        2.0000       2.00100        29.12
2            16.0322        8.6375
3            29.6732        1.0000       1.77250        49.60
4            20.2235        0.1500
5            20.2235        3.5079       1.43700        95.06
6            23.2948        5.7220
7           -33.0406        0.8000       1.77250        49.60
8            62.4290          (d8)
9*            78.4558        2.7605       1.80610        40.71
10           -76.8174        0.8000       1.84666        23.77
11           322.4303         (d11)
12            92.7714        3.0594       2.00100        29.12
13           -45.9457        0.1500
14            22.0682        2.3990       2.00100        29.12
15            53.0284        3.7683
16           347.9376        0.8000       1.74950        35.03
17            16.5674        3.3034
18(絞り)               ∞        2.0000
19            42.3885        1.9553       1.59282        68.60
20          -140.5558        0.1500
21            18.6643        3.4370       1.49700        81.58
22           -42.1334        0.8000       1.80518        25.45
23            23.9035        2.7283
24*           27.5771        2.6061       1.59201        67.00
25          -316.8835        0.1500
26           318.5373        0.8000       1.84666        23.77
27            22.7889        0.8031
28            41.6877        3.4409       1.59282        68.60
29           -40.9352        0.1500
30            23.8577        4.6268       1.59282        68.60
31          -113.1889       12.6898
32                 ∞        4.0000       1.51633        64.12
33                 ∞          (BF)
[非球面データ]
9面           24面
K                0.0000         0.0000
A4           -1.3957E-06    -2.7217E-06
A6           -9.8869E-08    -2.3923E-07
A8            6.6342E-10     9.2238E-09
A10          -2.0259E-12    -7.8119E-11
[各種データ]
INF          118mm
焦点距離              7.90           7.72
Fナンバー             1.82           1.83
全画角2ω           197.18         197.18
像高Y              11.60          11.87
[可変間隔データ]
撮影距離               INF          118mm
d8               4.0548        10.3960
d11              9.7353         3.3941
BF               1.0000         1.0000
[レンズ群データ]
群            始面              焦点距離
G1              1                 -8.36
G2              9                139.25
G3             12                 25.89
G1N1             1                -17.00
G1P1             5                260.52
G1N2             7                -27.87
G3a            12                 30.63
G3b            19                 22.16
【実施例６】
【００９９】
図２６は、本発明の実施例６の魚眼レンズのレンズ構成図である。物体側から順に、負の屈折力を有する第１レンズ群Ｇ１と正の屈折力を有するＧ２と正の屈折力を有する第３レンズ群Ｇ３から成り、第１レンズ群Ｇ１は、物体側に凸面を向けた負メニスカスレンズＬ1Ｎ１と、物体側に凸面を向けた負メニスカスレンズＬ２Ｎ１とから成る負の屈折力を有する第１Ｎ１レンズ群Ｇ１Ｎ１と、物体側に凸面を向けた正メニスカスレンズとから成る正の屈折力を有する第１Ｐ１レンズ群Ｇ１Ｐ１と、両凹レンズＬ３Ｎ２から成る負の屈折力を有する第１Ｎ２レンズ群Ｇ１Ｎ２とから成り、第２レンズ群Ｇ２は、物体側に凸面を向け物体側の面が非球面である凸メニスカスレンズと物体側に凹面を向けた負メニスカスレンズから成る接合レンズから成り、第３レンズ群Ｇ３は、両凸レンズと、物体側に凸面を向けた正メニスカスレンズと、両凹レンズから成る第３ａレンズ群Ｇ３ａと、開口絞りＳと、物体側に凸面を向けた正メニスカスレンズと、両凸レンズと両凹レンズから成る接合レンズと、物体側の面が非球面である両凸レンズと、物体側に凸面を向けた負メニスカスレンズと、両凸レンズと、両凸レンズとから成る第３ｂレンズ群Ｇ３ｂから成り、無限遠物体から近距離物体への合焦の際に、第１レンズ群Ｇ１と第３レンズ群Ｇ３は像面に対し固定であり、第２レンズ群Ｇ２が像側へ移動する。
【０１００】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【０１０１】
続いて、以下に実施例６に係る魚眼レンズの諸元値を示す。
数値実施例6
単位：mm
[面データ]
面番号            r             d             nd           vd
1           51.9522        2.0000       1.91082        35.24
2           15.7673       11.6770
3          154.7074        1.0000       1.77250        49.60
4           26.2369        1.7461
5           32.5637        3.5126       1.78471        25.71
6          250.0000        2.5314
7          -34.1605        0.8000       1.77250        49.60
8           40.4559          (d8)
9*           34.1938        2.6906       1.80610        40.71
10         1518.5622        0.8000       1.84666        23.77
11           52.5933         (d11)
12           77.1669        3.3285       1.83400        37.33
13          -33.3527        0.1500
14           28.2853        1.9416       2.00100        29.12
15           74.6363        0.7453
16         -134.9961        0.8000       1.48749        70.41
17           17.1670        4.0789
18（絞り）            ∞        0.6921
19           26.6998        2.2102       1.43700        95.06
20           78.3216        0.1500
21           19.9079        3.8486       1.43700        95.06
22          -38.9108        0.8000       1.92118        23.95
23           51.8603        5.0433
24*          37.5876        3.0501       1.59201        67.00
25          -61.4228        0.1500
26           63.3331        0.8000       1.84666        23.77
27           18.9508        1.5887
28           59.0841        2.7884       1.80420        46.48
29          -77.2283        0.1500
30           19.5211        5.1565       1.43700        95.06
31        -1000.0000       12.6900
32                ∞        4.0000       1.51633        64.12
33                ∞          (BF)
[非球面データ]
9面            24面
K                0.0000         0.0000
A4           -8.9405E-06     1.8124E-06
A6           -2.9341E-08    -1.9754E-07
A8            7.2963E-11     5.6708E-09
A10          -8.3780E-13    -5.8138E-11
A12             -            1.9583E-13
[各種データ]
INF           118mm
焦点距離              7.89           7.72
Fナンバー             1.82           1.83
全画角2ω           196.04         196.04
像高Y              11.60          11.91
[可変間隔データ]
撮影距離              INF           118mm
d8               3.6539        10.6878
d11             10.9263         3.8924
BF               1.0000         1.0000
[レンズ群データ]
群            始面              焦点距離
G1              1                 -8.61
G2              9                121.48
G3             12                 24.06
G1N1             1                -13.35
G1P1             5                 47.38
G1N2             7                -23.86
G3a            12                 32.44
G3b            19                 26.02
【実施例７】
【０１０２】
図３１は、本発明の実施例７の魚眼レンズのレンズ構成図である。物体側から順に、負の屈折力を有する第１レンズ群Ｇ１と正の屈折力を有するＧ２と正の屈折力を有する第３レンズ群Ｇ３から成り、第１レンズ群Ｇ１は、物体側に凸面を向けた負メニスカスレンズＬ１Ｎ１と、物体側に凸面を向けた負メニスカスレンズＬ２Ｎ１とから成る負の屈折力を有する第１Ｎ１レンズ群Ｇ１Ｎ１と、両凸レンズから成る正の屈折力を有する第１Ｐ１レンズ群Ｇ１Ｐ１と、物体側に凹面を向けた負メニスカスレンズＬ３Ｎ２から成る負の屈折力を有する第１Ｎ２レンズ群Ｇ１Ｎ２とから成り、第２レンズ群Ｇ２は、物体側の面が非球面である両凸レンズと両凹レンズの接合レンズとから成り、第３レンズ群Ｇ３は、両凸レンズと、物体側に凸面を向けた正メニスカスレンズと、物体側に凸面を向けた負メニスカスレンズとから成る第３ａレンズ群Ｇ３ａと、開口絞りＳと、両凸レンズと、両凸レンズと両凹レンズから成る接合レンズと、両凸レンズと、物体側に凸面を向けた負メニスカスレンズと、両凸レンズと、物体側に凸面を向けた正メニスカスレンズと、物体側に凸面を向けた平凸レンズから成る第３ｂレンズ群Ｇ３ｂレンズ群から成り、無限遠物体から近距離物体への合焦の際に、第１レンズ群Ｇ１と第３レンズ群Ｇ３は像面に対し固定であり、第２レンズ群Ｇ２が像側へ移動する。
【０１０３】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【０１０４】
続いて、以下に実施例７に係る魚眼レンズの諸元値を示す。
数値実施例7
単位：mm
[面データ]
面番号             r              d             nd            vd
1            48.0181        2.0000        2.00100        29.12
2            16.1496       11.7878
3           130.0628        1.0000        1.77250        49.60
4            22.9172        4.5849
5           726.7039        3.0085        1.84666        23.77
6           -49.4026        2.5549
7           -23.4133        0.8000        1.77250        49.60
8         -1084.3029          (d8)
9*           104.7520        2.4840        1.80610        40.71
10           -69.9013        0.8000        1.84666        23.77
11          1000.0000         (d11)
12            80.3861        2.5949        1.95374        32.31
13           -61.7239        0.1500
14            28.8747        2.0551        2.00100        29.12
15            76.5246        1.7481
16           166.6079        0.8000        1.48749        70.41
17            17.4628        4.1322
18（絞り)              ∞        0.8540
19            30.0108        2.7674        1.43700        95.06
20          -395.6973        0.1500
21            17.5728        3.7649        1.43700        95.06
22           -65.4343        0.8000        1.92118        23.95
23            29.9433        1.8692
24            48.5854        2.1908        1.59282        68.60
25           -76.4819        0.6275
26           679.7559        0.8000        1.84666        23.77
27            22.7381        1.1944
28           149.1524        2.2243        1.80420        46.48
29           -49.9777        0.1500
30            21.0582        3.8827        1.43700        95.06
31           120.0000        0.1500
32            28.4961        3.3685        1.43700        95.06
33                 ∞       12.7099
34                 ∞        4.0000        1.51633        64.12
35                 ∞          (BF)
[非球面データ]
9面
K                0.0000
A4           -1.1788E-06
A6           -7.2708E-08
A8            6.1681E-10
A10          -2.5605E-12
[各種データ]
INF           120mm
焦点距離              7.90           7.60
Fナンバー             1.82           1.83
全画角2ω           197.08         197.08
像高Y              11.60          11.71
[可変間隔データ]
撮影距離              INF           120mm
d8               3.2000        10.2212
d11             10.3358         3.3146
BF               1.0000         1.0000
[レンズ群データ]
群            始面              焦点距離
G1              1                 -8.93
G2              9                159.08
G3             12                 23.60
G1N1             1                -12.40
G1P1             5                 54.73
G1N2             7                -30.99
G3a            12                 34.44
G3b            19                 26.92
参考例８
【実施例８】
【０１０５】
図３６は、本発明の参考例８の魚眼レンズのレンズ構成図である。物体側から順に、負の屈折力を有する第１レンズ群Ｇ１と正の屈折力を有するＧ２と正の屈折力を有する第３レンズ群Ｇ３から成り、第１レンズ群Ｇ１は、物体側に凸面を向けた負メニスカスレンズＬ1Ｎ１と、物体側に凸面を向けた負メニスカスレンズＬ２Ｎ１とから成る負の屈折力を有する第１Ｎ１レンズ群Ｇ１Ｎ１と、物体側に凸面を向けた正メニスカスレンズとから成る正の屈折力を有する第１Ｐ１レンズ群Ｇ１Ｐ１と、両凹レンズＬ３Ｎ２から成る負の屈折力を有する第１Ｎ２レンズ群Ｇ１Ｎ２とから成り、第２レンズ群Ｇ２は、物体側の面が非球面である両凸レンズと両凹レンズとから成る接合レンズとから成り、第３レンズ群Ｇ３は、両凸レンズと、物体側に凸面を向けた正メニスカスレンズと、物体側に凸面を向けた凸メニスカスレンズとから成る第３ａレンズ群Ｇ３ａと、開口絞りＳと、両凸レンズと、両凸レンズと両凹レンズから成る接合レンズと、物体側の面が非球面である両凸レンズと、物体側に凸面を向けた負メニスカスレンズと、両凸レンズと、両凸レンズとから成る第３ｂレンズ群Ｇ３ｂから成り、無限遠物体から近距離物体への合焦の際に、第１レンズ群Ｇ１と第３レンズ群Ｇ３は像面に対し固定であり、第２レンズ群Ｇ２が像側へ移動する。
【０１０６】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【０１０７】
続いて、以下に実施例８に係る魚眼レンズの諸元値を示す。
数値実施例8
単位：mm
[面データ]
面番号                r           d             nd            vd
1              52.8269       2.0000       2.00100        29.12
2              16.0322       8.6375
3              29.6732       1.0000       1.77250        49.60
4              20.2235       0.0000
5              20.2235       3.5079       1.43700        95.06
6              23.2948       5.8864
7             -33.0406       0.8000       1.77250        49.60
8              62.4290         (d8)
9*             78.4558       2.7605       1.80610        40.71
10             -76.8174       0.8000       1.84666        23.77
11             322.4303        (d11)
12              92.7714       3.0594       2.00100        29.12
13             -45.9457       0.1500
14              22.0682       2.3990       2.00100        29.12
15              53.0284       3.7683
16             347.9376       0.8000       1.74950        35.03
17              16.5674       3.3034
18（絞り）               ∞       2.0000
19              42.3885       1.9553       1.59282        68.60
20            -140.5558       0.1500
21              18.6643       3.4370       1.49700        81.58
22             -42.1334       0.8000       1.80518        25.45
23              23.9035       2.7283
24*             27.5771       2.6061       1.59201        67.00
25            -316.8835       0.1500
26             318.5373       0.8000       1.84666        23.77
27              22.7889       0.8031
28              41.6877       3.4409       1.59282        68.60
29             -40.9352       0.1500
30              23.8577       4.6268       1.59282        68.60
31            -113.1889      12.6896
32                  ∞        4.0000       1.51633        64.12
33                  ∞          (BF)
[非球面データ]
9面           24面
K                0.0000         0.0000
A4           -1.3957E-06    -2.7217E-06
A6           -9.8869E-08    -2.3923E-07
A8            6.6342E-10     9.2238E-09
A10          -2.0259E-12    -7.8119E-11
[各種データ]
INF           118mm
焦点距離              7.89           7.71
Fナンバー             1.82           1.83
全画角2ω           197.32         197.32
像高Y              11.60          11.87
[可変間隔データ]
撮影距離              INF           118mm
d8               4.0548        10.3901
d11              9.7353         3.4000
BF               1.0000         1.0000
[レンズ群データ]
群            始面              焦点距離
G1              1                 -8.36
G2              9                139.25
G3             12                 25.89
G1N1             1                -17.00
G1P1             5                260.52
G1N2             7                -27.87
G3a            12                 30.63
G3b            19                 22.16
【０１０８】
第１Ｐ１レンズ群Ｇ１Ｐ１内のレンズの最も物体側の面は、第１Ｎ１レンズ群Ｇ１Ｎ１内のレンズの最も像側の面と十分に近接した場合に接合レンズとしても良い。もしくは第１Ｐ１レンズ群Ｇ１Ｐ１内のレンズの最も像側の面は、第１Ｎ２レンズ群Ｇ１Ｎ２内のレンズの最も物体側の面と十分に近接した場合に接合レンズとしても良い。
【０１０９】
また、これらの各実施例における条件式の対応値一覧を示す。
【０１１０】
[条件式対応値]
EX1   EX2   EX3   EX4
(1)  0.10＜(L1N1R1-L1N1R2)/(L1N1R1+L1N1R2)＜1.00   0.49  0.51  0.65  0.55
(2)  0.10＜(L2N1R1-L2N1R2)/(L2N1R1+L2N1R2)＜1.00   0.13  0.56  0.30  0.30
(3)             0.15＜L3N2R1/fL3N2＜4.00           1.70  0.31  0.52  1.99
(4)                8.0＜f2/f＜45.0                23.00 13.00 15.85 16.04
(5)               4.00＜f1P1/f＜70.00                 -     -     -     -
(6)               -2.40＜f1/f＜-0.70              -1.03 -1.06 -1.20 -1.08
(7)              -5.00＜fN12/f＜-1.00             -2.49 -1.40 -1.80 -2.47
(8)               2.80＜EXP/f＜20.00               5.80  5.77  6.45  5.77
(9)               0.05＜D13/LT＜0.45               0.20  0.14  0.20  0.23
(10)               1.40＜f3/f＜6.50                3.09  3.16  2.87  3.11
(11)              0.05＜D2S/LT＜0.60               0.25  0.26  0.21  0.28
(12)              1.30＜f3a/f＜12.50               3.10  3.75  6.33  2.65
(13)              1.40＜f3b/f＜10.00               4.26  3.26  3.33  4.80
EX5   EX6   EX7   EX8
(1)  0.10＜(L1N1R1-L1N1R2)/(L1N1R1+L1N1R2)＜1.00   0.53  0.53  0.50  0.53
(2)  0.10＜(L2N1R1-L2N1R2)/(L2N1R1+L2N1R2)＜1.00   0.19  0.71  0.70  0.19
(3)             0.15＜L3N2R1/fL3N2＜4.00           1.19  1.43  0.76  1.19
(4)                8.0＜f2/f＜45.0                17.63 15.39 20.14 17.64
(5)               4.00＜f1P1/f＜70.00             32.98  6.00  6.93 33.00
(6)               -2.40＜f1/f＜-0.70              -1.06 -1.09 -1.13 -1.06
(7)              -5.00＜fN12/f＜-1.00             -2.15 -1.69 -1.57 -2.15
(8)               2.80＜EXP/f＜20.00               6.46  7.10  5.78  6.46
(9)               0.05＜D13/LT＜0.45               0.18  0.19  0.17  0.18
(10)               1.40＜f3/f＜6.50                3.28  3.05  2.99  3.28
(11)              0.05＜D2S/LT＜0.60               0.25  0.23  0.23  0.25
(12)              1.30＜f3a/f＜12.50               3.88  4.11  4.36  3.88
(13)              1.40＜f3b/f＜10.00               2.81  3.30  3.41  2.81
【符号の説明】
【０１１１】
Ｓ：開口絞り
Ｉ：像面
Ｆ：フィルター
Ｇ１：第１レンズ群
Ｇ２：第２レンズ群
Ｇ３：第３レンズ群
Ｇ１Ｎ１：第１Ｎ１レンズ群
Ｇ１Ｐ１：第１Ｐ１レンズ群
Ｇ１Ｎ２：第１Ｎ２レンズ群
Ｇ３ａ  ：第３ａレンズ群
Ｇ３ｂ  ：第３ｂレンズ群
Ｃ      ：Ｃ線（波長λ＝６５６．３ｎｍ）
ｄ      ：ｄ線（波長λ＝５８７．６ｎｍ）
ｇ      ：ｇ線（波長λ＝４３５．８ｎｍ）
Ｙ      ：像高
ΔＳ    ：サジタル像面
ΔＭ    ：メリジオナル像面
【図１】
0006609956.tif 000003
【図２】
0006609956.tif 000004
【図３】
0006609956.tif 000005
【図４】
0006609956.tif 000006
【図５】
0006609956.tif 000007
【図６】
0006609956.tif 000008
【図７】
0006609956.tif 000009
【図８】
0006609956.tif 000010
【図９】
0006609956.tif 000011
【図１０】
0006609956.tif 000012
【図１１】
0006609956.tif 000013
【図１２】
0006609956.tif 000014
【図１３】
0006609956.tif 000015
【図１４】
0006609956.tif 000016
【図１５】
0006609956.tif 000017
【図１６】
0006609956.tif 000018
【図１７】
0006609956.tif 000019
【図１８】
0006609956.tif 000020
【図１９】
0006609956.tif 000021
【図２０】
0006609956.tif 000022
【図２１】
0006609956.tif 000023
【図２２】
0006609956.tif 000024
【図２３】
0006609956.tif 000025
【図２４】
0006609956.tif 000026
【図２５】
0006609956.tif 000027
【図２６】
0006609956.tif 000028
【図２７】
0006609956.tif 000029
【図２８】
0006609956.tif 000030
【図２９】
0006609956.tif 000031
【図３０】
0006609956.tif 000032
【図３１】
0006609956.tif 000033
【図３２】
0006609956.tif 000034